(57)【要約】【課題】一対のハウジングの嵌合状態を検知することができ、サイズの大型化を抑制することができるコネクタを提供する。【解決手段】互いに嵌合する一対のハウジング３，５と、一方のハウジング３に組付けられ一対のハウジング３，５の嵌合状態を検知する検知部材７とを備えたコネクタ１において、雌ハウジング３に検知部材７を収容する空間を形成する収容部９を設け、検知部材７に収容部９内に突設された係止突起１１と係合して検知部材７を雌ハウジング３に対して係止させる係止ロック部１３を設け、他方のハウジング５と検知部材７に、一対のハウジング３，５が正規に嵌合した状態で係止突起１１と係止ロック部１３との係合を解除させ検知部材７の雌ハウジング３に対する係止を解除させる係止解除手段１５を設けた。【選択図】図１１
2011029016.tif 000002
【特許請求の範囲】
【請求項１】
互いに嵌合する一対のハウジングと、この一対のハウジングのうちいずれか一方のハウジングに組付けられ前記一対のハウジングの嵌合状態を検知する検知部材とを備えたコネクタであって、
前記一方のハウジングには前記検知部材を収容する空間を形成する収容部が設けられ、前記検知部材には前記収容部内に突設された係止突起と係合して前記検知部材を前記一方のハウジングに対して係止させる係止ロック部が設けられ、
他方のハウジングと前記検知部材には、前記一対のハウジングが正規に嵌合した状態で前記係止突起と前記係止ロック部との係合を解除させ前記検知部材の前記一方のハウジングに対する係止を解除させる係止解除手段が設けられていることを特徴とするコネクタ。
【請求項２】
請求項１記載のコネクタであって、
前記係止解除手段は、前記検知部材に設けられ前記一対のハウジングが嵌合するときに他方のハウジングと当接して前記検知部材を前記一方のハウジングへの組付方向後方に移動させる当接部と、前記検知部材の本体と係止ロック部との間に伸縮可能に設けられ前記一対のハウジングが正規嵌合状態に至るまで前記係止突起と前記係止ロック部との係合を保持するバネ部と、前記他方のハウジングに設けられ前記一対のハウジングが正規嵌合状態に至ったときに前記係止突起と前記係止ロック部との係合を解除させる係止解除部とを有することを特徴とするコネクタ。
【請求項３】
請求項１又は２記載のコネクタであって、
前記検知部材には、前記一対のハウジングが正規嵌合状態に至るまで前記一方のハウジングの前記収容部内に突設された離脱防止突起と係合して前記検知部材が前記一方のハウジングから離脱することを防止する離脱防止溝が設けられていることを特徴とするコネクタ。
【請求項４】
請求項１乃至３のいずれか１項に記載のコネクタであって、
前記検知部材には、前記一方のハウジングの前記収容部に設けられた規制部と当接して前記検知部材が前記一方のハウジングへの組付方向前方に移動することを規制する移動規制部が設けられていることを特徴とするコネクタ。
【請求項５】
請求項１乃至４のいずれか１項に記載のコネクタであって、
前記一方のハウジングの前記収容部内には、前記一対のハウジングが正規に嵌合した状態で前記係止ロック部と係合して前記検知部材の前記一方のハウジングに対する係止を解除させた状態を保持する解除保持突起が突設されていることを特徴とするコネクタ。
【発明の詳細な説明】
【技術分野】
【０００１】
本発明は、嵌合状態を検知することができるコネクタに関する。
【背景技術】
【０００２】
従来、一対のハウジングの嵌合状態を検知することができるコネクタとしては、一対のコネクタハウジングと、一方のコネクタハウジングに組付けられる嵌合検知部材とを備えたコネクタが知られている（例えば、特許文献１参照）。
【０００３】
このコネクタでは、一方のコネクタハウジングに他方のコネクタハウジングによって撓み空間へ向けて弾性変形するロックアームが設けられ、検知部材にロックアームの撓み動作に連動して弾性変形させられる弾性アームが設けられ、この弾性アームに変形時に一方のコネクタハウジングの係止部に係止して撓み空間への押し込み規制を受ける受け部が設けられている。そして、検知部材は、一対のコネクタハウジングが正規嵌合状態に至ると、ロックアームの復元動作に連動して弾性アームが弾性復帰し、係止部と受け部との係止が解除されて撓み空間への押し込みが可能となる。
【０００４】
従って、一対のコネクタハウジングの正規嵌合状態では、検知部材の押し込みが可能となるため、作業者は一対のコネクタハウジングが正規嵌合状態に至っていることを検知することができる。
【先行技術文献】
【特許文献】
【０００５】
【特許文献１】特開２００４−７１２８８号公報
【発明の概要】
【発明が解決しようとする課題】
【０００６】
しかしながら、上記のようなコネクタでは、検知部材の弾性アームが一方のコネクタハウジングのロックアームの撓み動作によって撓み空間の幅方向から張り出すように検知部材の幅方向に拡張する動作を伴うので、この弾性アームの拡張動作を許容するスペースを確保する必要があり、サイズが大型化していた。
【０００７】
そこで、この発明は、一対のハウジングの嵌合状態を検知することができ、サイズの大型化を抑制することができるコネクタの提供を目的としている。
【課題を解決するための手段】
【０００８】
請求項１記載の発明は、互いに嵌合する一対のハウジングと、この一対のハウジングのうちいずれか一方のハウジングに組付けられ前記一対のハウジングの嵌合状態を検知する検知部材とを備えたコネクタであって、前記一方のハウジングには前記検知部材を収容する空間を形成する収容部が設けられ、前記検知部材には前記収容部内に突設された係止突起と係合して前記検知部材を前記一方のハウジングに対して係止させる係止ロック部が設けられ、他方のハウジングと前記検知部材には、前記一対のハウジングが正規に嵌合した状態で前記係止突起と前記係止ロック部との係合を解除させ前記検知部材の前記一方のハウジングに対する係止を解除させる係止解除手段が設けられていることを特徴とする。
【０００９】
請求項２記載の発明は、請求項１記載のコネクタであって、前記係止解除手段は、前記検知部材に設けられ前記一対のハウジングが嵌合するときに他方のハウジングと当接して前記検知部材を前記一方のハウジングへの組付方向後方に移動させる当接部と、前記検知部材の本体と係止ロック部との間に伸縮可能に設けられ前記一対のハウジングが正規嵌合状態に至るまで前記係止突起と前記係止ロック部との係合を保持するバネ部と、前記他方のハウジングに設けられ前記一対のハウジングが正規嵌合状態に至ったときに前記係止突起と前記係止ロック部との係合を解除させる係止解除部とを有することを特徴とする。
【００１０】
請求項３記載の発明は、請求項１又は２記載のコネクタであって、前記検知部材には、前記一対のハウジングが正規嵌合状態に至るまで前記一方のハウジングの前記収容部内に突設された離脱防止突起と係合して前記検知部材が前記一方のハウジングから離脱することを防止する離脱防止溝が設けられていることを特徴とする。
【００１１】
請求項４記載の発明は、請求項１乃至３のいずれか１項に記載のコネクタであって、前記検知部材には、前記一方のハウジングの前記収容部に設けられた規制部と当接して前記検知部材が前記一方のハウジングへの組付方向前方に移動することを規制する移動規制部が設けられていることを特徴とする。
【００１２】
請求項５記載の発明は、請求項１乃至４のいずれか１項に記載のコネクタであって、前記一方のハウジングの前記収容部内には、前記一対のハウジングが正規に嵌合した状態で前記係止ロック部と係合して前記検知部材の前記一方のハウジングに対する係止を解除させた状態を保持する解除保持突起が突設されていることを特徴とする。
【発明の効果】
【００１３】
請求項１のコネクタは、一方のハウジングの収容部内と検知部材とに検知部材を一方のハウジングに対して係止させる係止突起と係止ロック部とが設けられているので、一方のハウジングに検知部材を保持させる構造を収容部内に収めることができ、検知部材の保持に関して収容部外にスペースを設ける必要がない。
【００１４】
また、他方のハウジングと検知部材に一対のハウジングが正規に嵌合した状態で係止突起と係止ロック部との係合を解除させ検知部材の一方のハウジングに対する係止を解除させる係止解除手段が設けられているので、検知部材が一方のハウジングから取り外し可能となることにより、一対のハウジングが正規嵌合状態に至ったことを検知することができる。加えて、検知部材を一方のハウジングから取り外すことができない場合には、一対のハウジングが正規嵌合状態に至っていないことを検知することができ、一対のハウジングの誤嵌合を防止することができる。
【００１５】
さらに、一対のハウジングの正規嵌合状態を検知部材の取り外しの可否によって検知することができるので、一対のハウジングの正規嵌合状態を検知部材の取り付けの可否によって検知することに比較して、検知部材が収容部から張り出すような拡張動作などを伴う必要がなく、収容部や一方のハウジング全体の大型化を抑制することができる。
【００１６】
従って、検知部材の一方のハウジングからの取り外しの可否により一対のハウジングの嵌合状態を検知することができる。また、一方のハウジングに検知部材を保持させる構造を収容部内に収めることによりサイズの大型化を抑制することができる。
【００１７】
請求項２のコネクタは、係止解除手段が当接部とバネ部と係止解除部とを有するので、一対のハウジングの嵌合開始から正規嵌合状態に至るまでの間では、当接部が他方のハウジングと当接して検知部材が組付方向後方に移動させられても、係止突起と係止ロック部との係合を保持したままバネ部の伸長により検知部材の移動を許容させることができる。また、一対のハウジングが正規嵌合状態に至ったときには、係止解除部によって係止突起と係止ロック部との係合を解除させることができ、検知部材を一方のハウジングから取り外すことができる。
【００１８】
請求項３のコネクタは、検知部材に一対のハウジングが正規嵌合状態に至るまで一方のハウジングの収容部内に突設された離脱防止突起と係合して検知部材が一方のハウジングから離脱することを防止する離脱防止溝が設けられているので、一対のハウジングが正規嵌合状態に至るまで検知部材が一方のハウジングから離脱することを防止でき、検知部材によって一対のハウジングの嵌合状態を確実に検知することができる。
【００１９】
請求項４のコネクタは、検知部材に一方のハウジングの収容部に設けられた規制部と当接して検知部材が一方のハウジングへの組付方向前方に移動することを規制する移動規制部が設けられているので、検知部材の一方のハウジングに対する位置決めを行うことができ、検知部材の一方のハウジングに対する組付状態を確実に保持することができる。
【００２０】
請求項５のコネクタは、一方のハウジングの収容部内に一対のハウジングが正規に嵌合した状態で係止ロック部と係合して検知部材の一方のハウジングに対する係止を解除させた状態を保持する解除保持突起が突設されているので、一対のハウジングの正規嵌合状態では検知部材を確実に一方のハウジングから取り外すことができる。
【図面の簡単な説明】
【００２１】
【図１】（ａ），（ｂ）本発明の実施の形態に係るコネクタの一方のハウジングの斜視図である。（ｃ）図１（ａ）の要部拡大図である。
【図２】（ａ），（ｂ），（ｃ）本発明の実施の形態に係るコネクタの検知部材の斜視図である。
【図３】（ａ）本発明の実施の形態に係るコネクタの一方のハウジングに検知部材を組付けたときの側面図である。（ｂ）図３（ａ）の状態における斜視図である。
【図４】本発明の実施の形態に係るコネクタの他方のハウジングの斜視図である。
【図５】本発明の実施の形態に係るコネクタの斜視図である。
【図６】本発明の実施の形態に係るコネクタの一対のハウジングが嵌合する前の斜視図である。
【図７】本発明の実施の形態に係るコネクタの一方のハウジングに検知部材を組付けたときの断面図である。
【図８】（ａ）本発明の実施の形態に係るコネクタの一方のハウジングに検知部材を組付けたときの要部拡大断面図である。（ｂ）図８（ａ）の状態における検知部材の拡大図である。（ｃ）図８（ｂ）の要部拡大図である。
【図９】本発明の実施の形態に係るコネクタの一対のハウジングの嵌合を開始させたときの要部拡大断面図である。
【図１０】本発明の実施の形態に係るコネクタの一対のハウジングの嵌合途中のときの斜視図である。
【図１１】図１０の状態における断面図である。
【図１２】（ａ）本発明の実施の形態に係るコネクタの一対のハウジングの嵌合途中のときの断面図である。（ｂ）図１２（ａ）の状態から一対のハウジングが嵌合を進めたときの断面図である。（ｃ）検知部材の要部拡大図である。
【図１３】本発明の実施の形態に係るコネクタの一対のハウジングが嵌合を終了したときの斜視図である。
【図１４】図１３の状態における断面図である。
【図１５】（ａ）図１４の要部拡大図である。（ｂ）図１５（ａ）の要部拡大図である。
【図１６】本発明の実施の形態に係るコネクタの検知部材を一方のハウジングから取り外したときの斜視図である。
【発明を実施するための形態】
【００２２】
図１〜図１６を用いて本発明の実施の形態に係るコネクタについて説明する。
【００２３】
本実施の形態に係るコネクタ１は、互いに嵌合する一対のハウジング３，５と、一方のハウジングとしての雌ハウジング３に組付けられ一対のハウジング３，５の嵌合状態を検知する検知部材７とを備えている。また、雌ハウジング３には検知部材７を収容する空間を形成する収容部９が設けられ、検知部材７には収容部９内に突設された係止突起１１と係合して検知部材７を雌ハウジング３に対して係止させる係止ロック部１３が設けられている。
【００２４】
そして、他方のハウジングとしての雄ハウジング５と検知部材７には、一対のハウジング３，５が正規に嵌合した状態で係止突起１１と係止ロック部１３との係合を解除させ検知部材７の雌ハウジング３に対する係止を解除させる係止解除手段１５が設けられている。
【００２５】
また、係止解除手段１５は、検知部材７に設けられ一対のハウジング３，５が嵌合するときに雄ハウジング５と当接して検知部材７を雌ハウジング３への組付方向後方に移動させる当接部１７と、検知部材７の本体１９と係止ロック部１３との間に伸縮可能に設けられ一対のハウジング３，５が正規嵌合状態に至るまで係止突起１１と係止ロック部１３との係合を保持するバネ部２１と、雄ハウジング５に設けられ一対のハウジング３，５が正規嵌合状態に至ったときに係止突起１１と係止ロック部１３との係合を解除させる係止解除部２３とを有する。
【００２６】
さらに、検知部材７には、一対のハウジング３，５が正規嵌合状態に至るまで雌ハウジング３の収容部９内に突設された離脱防止突起２５と係合して検知部材７が雌ハウジング３から離脱することを防止する離脱防止溝２７が設けられている。
【００２７】
また、検知部材７には、雌ハウジング３の収容部９に設けられた規制部２９と当接して検知部材７が雌ハウジング３への組付方向前方に移動することを規制する移動規制部３１が設けられている。
【００２８】
さらに、雌ハウジング３の収容部９内には、一対のハウジング３，５が正規に嵌合した状態で係止ロック部１３と係合して検知部材７の雌ハウジング３に対する係止を解除させた状態を保持する解除保持突起３３が突設されている。
【００２９】
図１〜図１６に示すように、雌ハウジング３は、筒状に形成され、内部に複数の端子収容室３５が形成されている。複数の端子収容室３５には、電線（不図示）などに電気的に接続された端子（不図示）が収容されている。また、雌ハウジング３の上部には、ロックバンド部３７が撓み可能に設けられている。ロックバンド部３７の先端には、下方に向けて係止突部３９が突設されている。このロックバンド部３７は、雄ハウジング５と嵌合する際に雄ハウジング５のロック部４１と係止突部３９とが係止することにより、雌ハウジング３と雄ハウジング５との嵌合状態が保持される。
【００３０】
雄ハウジング５は、雌ハウジング３よりも小径の筒状に形成され、内部に複数の端子収容室４３が形成されている。複数の端子収容室４３には、電線（不図示）などに電気的に接続され雌ハウジング３に収容された端子と電気的に接続される相手端子（不図示）が収容されている。また、雄ハウジング５の外周側の上部には、上方に向けてロック部４１が突設されている。ロック部４１は、雌ハウジング３との嵌合方向に向かって傾斜する傾斜面が設けられている。このロック部４１の嵌合方向後方には、係止解除部２３が設けられ、ロック部４１との間に係止凹部を形成している。このロック部４１は、雌ハウジング３と嵌合する際にロック部４１の傾斜面によって雌ハウジング３のロックバンド部３７が上方に撓まされ、ロックバンド部３７の係止突部３９がロック部４１を乗り越えることにより、係止突部３９が係止凹部内に係止され、ロック部４１とロックバンド部３７とが係止状態となる。
【００３１】
このように互いに嵌合する一対のハウジング３，５のうち雌ハウジング３には、ロックバンド部３７の上方に空間部を形成する収容部９が設けられ、この収容部９内には、一対のハウジング３，５の嵌合状態を検知する検知部材７が組付けられる。
【００３２】
検知部材７には、収容部９内に突設された係止突起１１と係合して検知部材７を雌ハウジング３に対して係止させる係止ロック部１３が設けられている。この係止ロック部１３は、検知部材７の幅方向に延びる棒状に形成され、検知部材７を雌ハウジング３の収容部９に組付ける際に、係止突起１１の傾斜面によって係止突起１１の上方を乗り越えて係止突起１１に対して係止ロック面４５を引っ掛けるように係止される。この係止ロック部１３と係止突起１１との係合により、一対のハウジング３，５の嵌合前から一対のハウジング３，５が正規嵌合状態に至るまでの間、検知部材７の雌ハウジング３に対する組付状態が確実に保持、詳細には図８（ａ）の矢印で示すような検知部材７が収容部９から抜け出る方向や下方に脱落する方向に対して確実に保持され、検知部材７を雌ハウジング３から取り外すことができない。なお、検知部材７の上方に対する離脱は、係止ロック部１３及びバネ部２１と収容部９の上面壁との当接によって防止される。この係止ロック部１３と係止突起１１との係合は、一対のハウジング３，５が正規嵌合状態に至ったときに係止解除手段１５によって解除され、検知部材７を雌ハウジング３から取り外すことができる。
【００３３】
係止解除手段１５は、当接部１７と、バネ部２１と、係止解除部２３とからなる。当接部１７は、検知部材７の本体１９の下方に向けて延設され、一対のハウジング３，５が嵌合するときに、詳細には雄ハウジング５がある程度、雌ハウジング３に嵌合されたときに雄ハウジング５の嵌合方向の端面４７と当接する。この当接により、図９の矢印で示すように検知部材７が雌ハウジング３への組付方向後方（収容部９から抜け出る方向）に移動させられる。
【００３４】
バネ部２１は、検知部材７の本体１９と係止ロック部１３との間に本体１９と係止ロック部１３とを連結するように伸縮可能に設けられている。このバネ部２１は、一対のハウジング３，５が正規嵌合状態に至るまで係止突起１１と係止ロック部１３との係合を保持しながら伸長される。すなわち、当接部１７と雄ハウジング５との当接によって検知部材７が組付方向後方に移動されている間は、係止突起１１と係止ロック部１３とが係合したまま、バネ部２１によって検知部材７の移動が許容される。なお、バネ部２１の伸縮力は、検知部材７が組付方向後方に移動したときに係止突起１１と係止ロック部１３との係合が解除されない程度に設定されている。
【００３５】
係止解除部２３は、雄ハウジング５のロック部４１の嵌合方向後方に設けられ、ロック部４１よりも突出高さが大きく形成されている。この係止解除部２３は、一対のハウジング３，５が正規嵌合状態に至ったときに、詳細にはロックバンド部３７の係止突部３９がロック部４１を乗り越えて係止凹部内に係止されるときに係止ロック部１３の組付方向前方（検知部材７が収容部９に挿入される方向）に形成された傾斜面と当接して係止ロック部１３を上方に移動させる。この係止ロック部１３の上方への移動により、係止突起１１と係止ロック部１３との係合が解除され、バネ部２１の収縮によって係止ロック部１３が組付方向後方に移動される。この組付方向後方に移動された係止ロック部１３は、解除保持突起３３と係合される。
【００３６】
解除保持突起３３は、雌ハウジング３の収容部９内の係止突起１１の組付方向後方に突設されている。なお、この解除保持突起３３が突設された収容部９の上方は、何も設けられておらず、外部空間に露出されている。この解除保持突起３３は、一対のハウジング３，５が正規に嵌合した状態で、バネ部２１の収縮によって組付方向後方に移動された係止ロック部１３の係止ロック面４５と係合して検知部材７の雌ハウジング３に対する係止を解除させた状態を保持する。この解除保持突起３３と係止ロック部１３との係合により、検知部材７を収容部９の上方から取り外すことができる。
【００３７】
このような検知部材７には、検知部材７が収容部９の組付方向前方に移動することを規制する移動規制部３１と、一対のハウジング３，５の嵌合前から一対のハウジング３，５が正規嵌合状態に至るまでの間、検知部材７が収容部９の上方から離脱することを防止する離脱防止溝２７とが設けられている。
【００３８】
移動規制部３１は、検知部材７の上面に突設され、収容部９の上面の組付方向の端面である規制部２９に当接される。この移動規制部３１は、検知部材７の雌ハウジング３に対する組付状態、詳細には係止ロック部１３と係止突起１１とが係合した状態で規制部２９と当接することにより、検知部材７が収容部９の組付方向前方に移動することを規制し、検知部材７の雌ハウジング３に対する位置決めをしている。この移動規制部３１と規制部２９との当接により、検知部材７の一対のハウジング３，５の嵌合前の初期位置が保持される。
【００３９】
離脱防止溝２７は、検知部材７の両側面に設けられ、雌ハウジング３の収容部９内の解除保持突起３３の組付方向後方に突設された離脱防止突起２５と係合される。この離脱防止溝２７は、一対のハウジング３，５の嵌合前から一対のハウジング３，５が正規嵌合状態に至るまでの間、離脱防止突起２５と係合しており、一対のハウジング３，５が正規に嵌合するまで検知部材７が収容部９の上方から離脱することを防止している。また、離脱防止溝２７の形状は、検知部材７の当接部１７の当接によって検知部材７が組付方向後方に移動させられた際に、検知部材７が係止突起１１と係止ロック部１３との係合を保持し易い姿勢となるように離脱防止突起２５と摺動して案内する形状に設定されている。また、離脱防止溝２７の組付方向前方の端部は下方に向けて傾斜するように開口されており、この開口は一対のハウジング３，５が正規に嵌合した状態で離脱防止突起２５が位置するように設定されている。このため、一対のハウジング３，５が正規に嵌合した状態では、検知部材７の係止ロック部１３が雌ハウジング３の解除保持突起３３に係合され、雌ハウジング３の離脱防止突起２５が検知部材７の離脱防止溝２７の開口に位置するので、検知部材７の上方への移動を規制するものがなく、検知部材７を収容部９の上方から取り外すことができる。
【００４０】
このように構成されたコネクタ１の一対のハウジング３，５の嵌合動作及び検知部材７の検知動作について説明する。
【００４１】
一対のハウジング３，５の嵌合前の状態では、検知部材７が係止ロック部１３と係止突起１１との係合、離脱防止溝２７と離脱防止突起２５との係合及び移動規制部３１と規制部２９との当接によって、検知部材７の雌ハウジング３に対する組付方向及び離脱・脱落方向への移動が規制され、検知部材７を雌ハウジング３の収容部９から取り外すことができない。なお、この状態では、検知部材７の雌ハウジング３に対する組付状態を保持することができるので、検知部材７と雌ハウジング３とを１つの部材として取り扱うことができる。
【００４２】
一対のハウジング３，５の嵌合開始の状態では、検知部材７の当接部１７と雄ハウジング５の端面４７とが当接し、検知部材７が組付方向後方に移動される。このとき、バネ部２１が伸長を開始し、係止ロック部１３と係止突起１１との係合を保持する。
【００４３】
一対のハウジング３，５の嵌合途中（もしくは半嵌合）の状態では、ロックバンド部３７がロック部４１によって上方に撓まされ、ロックバンド部３７の係止突部３９がロック部４１の上部に位置する。このとき、雄ハウジング５の係止解除部２３と検知部材７の係止ロック部１３とが当接されるが、雄ハウジング５の雌ハウジング３に対する挿入が不十分であるので、係止ロック部１３は係止解除部２３によって上方に移動されない。このため、係止ロック部１３と係止突起１１との係合が解除されず、検知部材７を組付方向後方に移動させることができない。また、このとき、離脱防止突起２５が離脱防止溝２７内に位置しており、検知部材７は上方への移動が規制され、検知部材７を雌ハウジング３から取り外すことができない。従って、一対のハウジング３，５が半嵌合状態（もしくは全く嵌合していない状態）であるときには、検知部材７を雌ハウジング３から取り外すことができず、一対のハウジング３，５が正規嵌合状態に至っていないことを検知することができる。
【００４４】
一対のハウジング３，５が正規に嵌合した状態では、ロックバンド部３７の係止突部３９がロック部４１を乗り越えて係止凹部内に係止され、ロック部４１とロックバンド部３７とが係止状態となり、一対のハウジング３，５の嵌合状態が保持される。このとき、係止ロック部１３の組付方向前方に形成された傾斜面と係止解除部２３とが当接して係止ロック部１３を上方に移動させ、係止突起１１と係止ロック部１３との係合が解除される。この係合が解除された係止ロック部１３は、バネ部２１の収縮によって組付方向後方に移動され、上方が外部空間に露出された解除保持突起３３と係合される。また、このとき、離脱防止突起２５は、離脱防止溝２７の開口に位置される。この状態では、検知部材７の上方への移動を規制するものがなく、検知部材７を雌ハウジング３から取り外すことができ、一対のハウジング３，５が正規嵌合に至ったことを検知することができる。
【００４５】
このように検知部材７の取り外しの可否によって一対のハウジング３，５の嵌合状態を検知することができ、一対のハウジング３，５の誤嵌合を防止することができる。
【００４６】
このようなコネクタ１では、雌ハウジング３の収容部９内と検知部材７とに検知部材７を雌ハウジング３に対して係止させる係止突起１１と係止ロック部１３とが設けられているので、雌ハウジング３に検知部材７を保持させる構造を収容部９内に収めることができ、検知部材７の保持に関して収容部９外にスペースを設ける必要がない。
【００４７】
また、雄ハウジング５と検知部材７に一対のハウジング３，５が正規に嵌合した状態で係止突起１１と係止ロック部１３との係合を解除させ検知部材７の雌ハウジング３に対する係止を解除させる係止解除手段１５が設けられているので、検知部材７が雌ハウジング３から取り外し可能となることにより、一対のハウジング３，５が正規嵌合状態に至ったことを検知することができる。加えて、検知部材７を雌ハウジング３から取り外すことができない場合には、一対のハウジング３，５が正規嵌合状態に至っていないことを検知することができ、一対のハウジング３，５の誤嵌合を防止することができる。
【００４８】
さらに、一対のハウジング３，５の正規嵌合状態を検知部材７の取り外しの可否によって検知することができるので、一対のハウジング３，５の正規嵌合状態を検知部材の取り付けの可否によって検知することに比較して、検知部材７が収容部９から張り出すような拡張動作などを伴う必要がなく、収容部９や雌ハウジング３全体の大型化を抑制することができる。
【００４９】
従って、検知部材７の雌ハウジング３からの取り外しの可否により一対のハウジング３，５の嵌合状態を検知することができる。また、雌ハウジング３に検知部材７を保持させる構造を収容部９内に収めることによりサイズの大型化を抑制することができる。
【００５０】
また、係止解除手段１５が当接部１７とバネ部２１と係止解除部２３とを有するので、一対のハウジング３，５の嵌合開始から正規嵌合状態に至るまでの間では、当接部１７が雄ハウジング５と当接して検知部材７が組付方向後方に移動させられても、係止突起１１と係止ロック部１３との係合を保持したままバネ部２１の伸長により検知部材７の移動を許容させることができる。また、一対のハウジング３，５が正規嵌合状態に至ったときには、係止解除部２３によって係止突起１１と係止ロック部１３との係合を解除させることができ、検知部材７を雌ハウジング３から取り外すことができる。
【００５１】
さらに、検知部材７に一対のハウジング３，５が正規嵌合状態に至るまで雌ハウジング３の収容部９内に突設された離脱防止突起２５と係合して検知部材７が雌ハウジング３から離脱することを防止する離脱防止溝２７が設けられているので、一対のハウジング３，５が正規嵌合状態に至るまで検知部材７が雌ハウジング３から離脱することを防止でき、検知部材７によって一対のハウジング３，５の嵌合状態を確実に検知することができる。
【００５２】
また、検知部材７に雌ハウジング３の収容部９に設けられた規制部２９と当接して検知部材７が雌ハウジング３への組付方向前方に移動することを規制する移動規制部３１が設けられているので、検知部材７の雌ハウジング３に対する位置決めを行うことができ、検知部材７の雌ハウジング３に対する組付状態を確実に保持することができる。
【００５３】
さらに、雌ハウジング３の収容部９内に一対のハウジング３，５が正規に嵌合した状態で係止ロック部１３と係合して検知部材７の雌ハウジング３に対する係止を解除させた状態を保持する解除保持突起３３が突設されているので、一対のハウジング３，５の正規嵌合状態では検知部材７を確実に雌ハウジング３から取り外すことができる。
【００５４】
なお、本発明の実施の形態に係るコネクタでは、一方のハウジングと検知部材とに離脱防止突起と離脱防止溝とを設けているが、例えば、検知部材の上方を覆うような収容部であれば必ずしも設ける必要はない。このような構造では、検知部材が収容部の覆われているため、収容部の上方から検知部材が離脱することがなく、係止突起と係止ロック部との係合を解除させた状態で組付方向後方から検知部材を引き抜くように取り外せばよい。
【符号の説明】
【００５５】
１…コネクタ
３，５…ハウジング
７…検知部材
９…収容部
１１…係止突起
１３…係止ロック部
１５…係止解除手段
１７…当接部
１９…本体
２１…バネ部
２３…係止解除部
２５…離脱防止突起
２７…離脱防止溝
２９…規制部
３１…移動規制部
３３…解除保持突起
【図１】
2011029016.tif 000003
【図２】
2011029016.tif 000004
【図３】
2011029016.tif 000005
【図４】
2011029016.tif 000006
【図５】
2011029016.tif 000007
【図６】
2011029016.tif 000008
【図７】
2011029016.tif 000009
【図８】
2011029016.tif 000010
【図９】
2011029016.tif 000011
【図１０】
2011029016.tif 000012
【図１１】
2011029016.tif 000013
【図１２】
2011029016.tif 000014
【図１３】
2011029016.tif 000015
【図１４】
2011029016.tif 000016
【図１５】
2011029016.tif 000017
【図１６】
2011029016.tif 000018